(57)【要約】      （修正有）【課題】複数の操作ヘッドを選択的に使用することができるソケットレンチ用ラチェットハンドルを提供する。【解決手段】ハンドルの先端が一対の枢接アームになるように分岐しており、該一対の枢接アームの間に、回動本体２０が、該一対の枢接アームを通過する所定の直線を軸線として回転することができるように枢支されており、回動本体には、複数の操作ヘッド３０が、それぞれ回動本体から突出し、且つ、所定の直線と直交する直線を回動軸として回動することができると共に、ラチェット構造により一方向に制限されうるように構成されている。【選択図】図４
0003168212.tif 000002
【実用新案登録請求の範囲】
【請求項１】
ハンドルの先端が一対の枢接アームになるように分岐しており、
該一対の枢接アームの間に、回動本体が、該一対の枢接アームを通過する所定の直線を軸線として回転することができるように枢支されており、
前記回動本体には、複数の操作ヘッドが、それぞれ該回動本体から突出し、且つ、前記所定の直線と直交する直線を回動軸として回動することができると共に、ラチェット構造により前記回動を一方向に制限されうるように構成されていることを特徴とするソケットレンチ用ラチェットハンドル。
【請求項２】
前記複数の操作ヘッドは、それらの前記回動軸が前記所定の直線と直交する同一の平面にあるように配置されており、
前記一対の枢接アームにおける少なくとも１つの枢接アームには、係止突起が、前記回動本体に向けて突出しており、
前記回動本体には、少なくとも前記操作ヘッドと同じ数の係止凹部が、前記係止突起を受け入れると、前記回動本体の前記所定の直線を軸線とする回転を係止することができるように形成されていることを特徴とする請求項１に記載のソケットレンチ用ラチェットハンドル。
【請求項３】
前記回動本体には、前記複数の操作ヘッドと対応している位置にそれぞれ開口が形成されており、各操作ヘッドはそれぞれ１つの前記開口に挿し込まれており、
各前記ラチェット構造は、何れも、
対応している操作ヘッドの前記開口内に挿し込まれている部分の周面から張り出しになっている歯車面と、
前記歯車面と前記開口の内周面との間に、前記操作ヘッドの前記回動を一方向に制限することができるように介在している制限手段と、
前記開口を覆い、且つ前記操作ヘッドと同軸的に回動して前記制限手段を制御することができるように取り付けられている制御キャップとを備えており、
前記制限手段は、一対のラックユニットと、前記一対のラックユニットの間に、両端がそれぞれ前記一対のラックユニットに当接しながら該一対のラックユニットを離間させる付勢力を与えることができるように配置構成されている付勢ユニットとからなっており、且つ、前記一対のラックユニットは、前記付勢ユニットからの付勢力により前記付勢ユニットに臨んでいない端部で前記開口の内周面と当接していると共に、前記歯車面と噛み合っており、
前記制御キャップには、２つの制御棒が突出している上、前記開口内に挿し込んでおり、該２つの制御棒は、前記一対のラックユニットに１つずつ対応しており、且つ、前記制御キャップの回動に応じて、それぞれが対応している１つの前記ラックユニットに当接してから前記付勢ユニットからの付勢力に抗し、該対応している１つの前記ラックユニットの位置を移動させて前記歯車面との噛み合いを解除することによって、前記操作ヘッドの前記回動を一方向のみに制限することができるように配置構成されていることを特徴とする請求項２に記載のソケットレンチ用ラチェットハンドル。
【請求項４】
前記回動本体の各前記開口の周縁近くには、係止ボールが、付勢されて常に該回動本体表面から突出するように取り付けられており、
各前記制御キャップには、前記操作ヘッドとの同軸的な回動の角度に応じてそれぞれ前記係止ボールを受け入れることができる第１の係止孔と第２の係止孔と第３の係止孔とが形成されており、
更に、前記第１の係止孔と第２の係止孔と第３の係止孔と前記係止ボールは、
前記制御キャップが回動されて前記第１の係止孔内に前記係止ボールが嵌まる角度に回動すると、前記２つの制御棒は何れも前記一対のラックユニットを動かせず、該一対のラックユニットは何れも前記歯車面と噛み合い、前記操作ヘッドの前記回動が全て制限され、
前記制御キャップが回動されて前記第２の係止孔内に前記係止ボールが嵌まる角度に回動すると、前記２つの制御棒における１つが対応している１つのラックユニットに当接して該ラックユニットの前記歯車面との噛み合いを解除することによって、他の１つのラックユニットのみが前記歯車面と噛み合い、前記操作ヘッドの時計方向への回動のみが可能になり、
前記制御キャップが回動されて前記第３の係止孔内に前記係止ボールが嵌まる角度に回動すると、前記２つの制御棒における前記他の１つが対応している他の１つのラックユニットに当接して該ラックユニットの前記歯車面との噛み合いを解除することによって、前記１つのラックユニットのみが前記歯車面と噛み合い、前記操作ヘッドの反時計方向への回動のみが可能となるように配置構成されていることを特徴とする請求項３に記載のソケットレンチ用ラチェットハンドル。
【請求項５】
前記回動本体は、前記所定の直線に沿って前記一対の枢接アーム及び該回動本体を摺動可能に挿通している枢支軸によって、前記一対の枢接アームに枢支されており、
また、各前記操作ヘッドは、対応している開口外に露出している周面に当接突起が取り付けられている上、それぞれの前記回動軸に沿って延伸し、一端が前記操作ヘッドの先端に露出し、他端に当接ボールが取り付けられ、且つ、常に付勢されて前記当接ボールを介して前記枢支軸の表面に当接している一本の貫通棒により摺動可能に挿通されており、
各前記操作ヘッドに取り付けられている各前記貫通棒及び各前記当接突起は互いに対応し、前記貫通棒が前記操作ヘッドの先端から突出している距離が長い第１の位置に摺動すると、前記当接突起が前記操作ヘッドの表面内へ没入する方向へ移動し、そして前記貫通棒が前記操作ヘッドの先端から突出している距離が比較的に短い第２の位置に摺動すると、前記当接突起が前記操作ヘッドの表面外へ突出する方向へ移動するように配置構成されており、
更に、前記枢支軸の前記回動本体内に挿入している部分には、小径部と大径部と、該小径部と大径部とを繋ぐ円錐面部とが形成されており、前記枢支軸と各前記貫通棒は互いに対応し、各前記貫通棒の前記他端に取り付けられている前記当接ボールが前記小径部の表面に当接している時は各前記貫通棒は前記第２の位置に配置され、そして前記枢支軸が前記回動本体に対して摺動して各前記貫通棒の前記他端に取り付けられている前記当接ボールが前記大径部の表面に当接すると、各前記貫通棒は前記第１の位置に配置されることができるように配置構成されていることを特徴とする請求項３に記載のソケットレンチ用ラチェットハンドル。
【考案の詳細な説明】
【技術分野】
【０００１】
本考案はソケットレンチ用ラチェットハンドルに関し、特に、ソケットと連結するための操作ヘッドを複数有し、ソケットの選択が拡大されるソケットレンチ用ラチェットハンドルに関する。
【背景技術】
【０００２】
ソケットレンチとは、ソケットとハンドルが一体になった従来のレンチをハンドルと該ハンドルに取り付けられるサイズの異なる複数のソケットに分けることによって、大きさが異なる各種のボルトやナットに対応して締め／緩めを行うことができ、少ない工具で多くの作業状況に対応することができる手工具である。
【０００３】
従来から、このようなソケットレンチにおけるハンドルには、ラチェットレンチから逆回転を制限する発想を取り込むことによって、往復運動のみでボルトの締め・緩めを行うことができるラチェットハンドルがある。
【０００４】
しかし、従来のラチェットハンドルでは、ソケットと連結するための操作ヘッドと使用するソケットとの間のサイズの差が大きすぎると、加えた力を効果的に作用させることができない（特に操作ヘッドの方が大きすぎる場合）だけでなく、操作ヘッドの磨耗も激しくなる（特にソケットの方が大きすぎる場合）ので、使用するソケットのサイズが広範であれば、やはりそれらに応じて数本のサイズが異なるラチェットハンドルを用意しなければならず、これでは工具の数を減らすソケットレンチの発明主旨に反することになる。
【考案の概要】
【考案が解決しようとする課題】
【０００５】
上記問題点に鑑みて、本考案は、ソケットと連結するための操作ヘッドを複数有し、該複数の操作ヘッドで、ソケットの選択使用を拡大することができるソケットレンチ用ラチェットハンドルを提供する。
【課題を解決するための手段】
【０００６】
上記目的を達成すべく、本考案は、ハンドルの先端が一対の枢接アームになるように分岐しており、該一対の枢接アームの間に、回動本体が、該一対の枢接アームを通過する所定の直線を軸線として回転することができるように枢支されており、前記回動本体には、複数の操作ヘッドが、それぞれ該回動本体から突出し、且つ、前記所定の直線と直交する直線を回動軸として回動することができると共に、ラチェット構造により一方向に制限されうるように構成されていることを特徴とするソケットレンチ用ラチェットハンドルを提供する。
【０００７】
上記ソケットレンチ用ラチェットハンドルにおいて、前記複数の操作ヘッドは、それらの前記回動軸が前記所定の直線と直交する同一の平面にあるように配置されており、前記一対の枢接アームにおける少なくとも１つの枢接アームには、係止突起が、前記回動本体に向けて突出しており、前記回動本体には、少なくとも前記操作ヘッドと同じ数の係止凹部が、前記係止突起を受け入れると、前記回動本体の前記所定の直線を軸線とする回転を係止することができるように形成されていることが好ましい。
【０００８】
上記ソケットレンチ用ラチェットハンドルにおいて、前記回動本体には、前記複数の操作ヘッドと対応している位置にそれぞれ開口が形成されており、各操作ヘッドはそれぞれ１つの前記開口に挿し込まれており、各前記ラチェット構造は、何れも対応している操作ヘッドの前記開口内に挿し込まれている部分の周面から張り出しになっている歯車面と、前記歯車面と前記開口の内周面との間に、前記操作ヘッドの前記回動を一方向に制限することができるように介在している制限手段と、前記開口を覆い、且つ前記操作ヘッドと同軸的に回動して前記制限手段を制御することができるように取り付けられている制御キャップとを備えており、前記制限手段は、一対のラックユニットと、前記一対のラックユニットの間に、両端がそれぞれ前記一対のラックユニットに当接しながら該一対のラックユニットを離間させる付勢力を与えることができるように配置構成されている付勢ユニットとからなっており、且つ、前記一対のラックユニットは、前記付勢ユニットからの付勢力により前記付勢ユニットに臨んでいない端部で前記開口の内周面と当接していると共に、前記歯車面と噛み合っており、前記制御キャップには、２つの制御棒が突出している上、前記開口内に挿し込んでおり、該２つの制御棒は、前記一対のラックユニットに１つずつ対応しており、且つ、前記制御キャップの回動に応じて、それぞれが対応している１つの前記ラックユニットに当接してから前記付勢ユニットからの付勢力に抗し、該対応している１つの前記ラックユニットの位置を移動させて前記歯車面との噛み合いを解除することによって、前記操作ヘッドの前記回動を一方向のみに制限することができるように配置構成されていることが好ましい。
【０００９】
上記ソケットレンチ用ラチェットハンドルにおいて、前記回動本体の各前記開口の周縁近くには、係止ボールが、付勢されて常に該回動本体表面から突出するように取り付けられており、各前記制御キャップには、前記操作ヘッドとの同軸的な回動の角度に応じてそれぞれ前記係止ボールを受け入れることができる第１の係止孔と第２の係止孔と第３の係止孔とが形成されており、更に、前記第１の係止孔と第２の係止孔と第３の係止孔と前記係止ボールは、前記制御キャップが回動されて前記第１の係止孔内に前記係止ボールが嵌まる角度に回動すると、前記２つの制御棒は何れも前記一対のラックユニットを動かせず、該一対のラックユニットは何れも前記歯車面と噛み合い、前記操作ヘッドの前記回動が全て制限され、前記制御キャップが回動されて前記第２の係止孔内に前記係止ボールが嵌まる角度に回動すると、前記２つの制御棒における１つが対応している１つのラックユニットに当接して該ラックユニットの前記歯車面との噛み合いを解除することによって、他の１つのラックユニットのみが前記歯車面と噛み合い、前記操作ヘッドの時計方向への回動のみが可能になり、前記制御キャップが回動されて前記第３の係止孔内に前記係止ボールが嵌まる角度に回動すると、前記２つの制御棒における前記他の１つが対応している他の１つのラックユニットに当接して該ラックユニットの前記歯車面との噛み合いを解除することによって、前記１つのラックユニットのみが前記歯車面と噛み合い、前記操作ヘッドの反時計方向への回動のみが可能になるように配置構成されていることが好ましい。
【００１０】
上記ソケットレンチ用ラチェットハンドルにおいて、前記回動本体は、前記所定の直線に沿って前記一対の枢接アーム及び該回動本体を摺動可能に挿通している枢支軸によって、前記一対の枢接アームに枢支されており、また、各前記操作ヘッドは、対応している開口外に露出している周面に当接突起が取り付けられている上、それぞれの前記回動軸に沿って延伸し、一端が前記操作ヘッドの先端に露出し、他端に当接ボールが取り付けられ、且つ、常に付勢されて前記当接ボールを介して前記枢支軸の表面に当接している一本の貫通棒により摺動可能に挿通されており、各前記操作ヘッドに取り付けられている各前記貫通棒及び各前記当接突起は互いに対応し、前記貫通棒が前記操作ヘッドの先端から突出している距離が長い第１の位置に摺動すると、前記当接突起が前記操作ヘッドの表面内へ没入する方向へ移動し、そして前記貫通棒が前記操作ヘッドの先端から突出している距離が比較的に短い第２の位置に摺動すると、前記当接突起が前記操作ヘッドの表面外へ突出する方向へ移動するように配置構成されており、更に、前記枢支軸の前記回動本体内に挿入している部分には、小径部と大径部と、該小径部と大径部とを繋ぐ円錐面部とが形成されており、前記枢支軸と各前記貫通棒は互いに対応し、各前記貫通棒の前記他端に取り付けられている前記当接ボールが前記小径部の表面に当接している時は各前記貫通棒は前記第２の位置に配置され、そして前記枢支軸が前記回動本体に対して摺動して各前記貫通棒の前記他端に取り付けられている前記当接ボールが前記大径部の表面に当接すると、各前記貫通棒は前記第１の位置に配置されることができるように配置構成されていることが好ましい。
【考案の効果】
【００１１】
上記構成により、本考案はソケットと連結するための操作ヘッドを複数有し、ソケットの選択が拡大されるソケットレンチ用ラチェットハンドルを提供すると共に、各操作ヘッドが制限される回転操作方向を選択することができるソケットレンチ用ラチェットハンドルをも提供する。
【図面の簡単な説明】
【００１２】
【図１】本考案のソケットレンチ用ラチェットハンドルの斜視図である。
【図２】本考案のソケットレンチ用ラチェットハンドルの先端部分の分解図である。
【図３】本考案のソケットレンチ用ラチェットハンドルの先端部分の側面図である。
【図４】回動本体と１つの操作ヘッドとラチェット構造との分解図である。
【図５】図３におけるＶ−Ｖ線に沿って切った断面図である。
【図６】制御キャップ及び制限手段の作動状態が示されている断面図である。
【図７】制御キャップ２２及び制限手段は３２の作動状態が示されている断面図である。
【図８】図３におけるVIII−VIII線に沿って切った断面図である。
【図９】図８におけるIX−IX線に沿って切った断面図である。
【図１０】枢支軸と貫通棒の対応関係が示されている断面図である。
【図１１】図１０におけるXI−XIに沿って切った断面図である。
【考案を実施するための形態】
【００１３】
以下は各図面を参照しながら、本考案の好ましい実施形態について詳しく説明する。
【００１４】
図１に示されているように、本考案のソケットレンチ用ラチェットハンドルは、その直棒形のハンドル１０の先端がハンドル１０自体の軸線方向の両側に対称的に延伸する一対の枢接アーム１１Ａ（裏側）、１１Ｂ（表側）になるように分岐し、該分岐している一対の枢接アーム１１Ａ、１１Ｂの間に回動本体２０が該一対の枢接アーム１１Ａ、１１Ｂを通過する所定の直線Ｌ１を軸線として回転することができるように枢支されている。この回動本体２０には、サイズが異なる３つの操作ヘッド３０がそれぞれ該回動本体２０から突出するように取り付けられている。
【００１５】
この構成により、本考案のソケットレンチ用ラチェットハンドルはサイズが異なる３つの操作ヘッド３０から適切なサイズを持つ操作ヘッド３０を選択してソケットと接続させてソケットレンチとして使用することができる。
【００１６】
また、図２では本考案のソケットレンチ用ラチェットハンドルの先端部分の分解図が示されている。
【００１７】
図示されているように、回動本体２０は、直線Ｌ１に沿って一対の枢接アーム１１Ａ、１１Ｂにそれぞれ形成されている通過孔１１３、１１５及び回動本体２０に形成されているトンネル２１１を摺動可能に挿通している枢支軸４０によって、一対の枢接アーム１１Ａ、１１Ｂに枢支されている。この枢支軸４０の一端にフランジ４１６が形成され、該フランジ４１６の枢接アーム１１に臨んでいる面と裏側の枢接アーム１１Ａの該フランジ４１６に臨んでいる面との間に圧縮コイルばね４４が取り付けられている。
【００１８】
更に、枢支軸４０の他端には当接子４１４が突起するように形成されている。当接子４１４は通過孔１１３の内表面に当接して枢支軸４０の位置を決めることができる。
【００１９】
一対の枢接アーム１１における表側の枢接アーム１１Ｂには、係止突起１１４が回動本体２０側に向けて突出しており、回動本体２０には、係止突起１１４に対応している複数の係止凹部２１４が、係止突起１１４を受け入れることによって、回動本体２０の直線Ｌ１を軸線とする回転を図３に示されているように、一時的に係止することができるように形成されている。この実施形態において係止凹部２１４は８つ形成されているが、各操作ヘッド３０をそれぞれ使用しやすい位置に一時的に固定するためには、少なくとも前記操作ヘッドと同じ数の係止凹部２１４が必要とされる。
【００２０】
各操作ヘッド３０の前記回動本体２０から突出している部分は、前記所定の直線Ｌ１と直交する線を線対称の中心とする上、回動軸として回動本体２０に対して回動することができ、ラチェット構造によりこの回動を一方向のみに制限されうるように構成されている。
【００２１】
ちなみに、この実施形態において、各の操作ヘッド３０は、それらの回動軸が前記直線Ｌ１と直交する同一の平面にあるように配置されている。
【００２２】
各操作ヘッド３０の回動を制限するラチェット構造に関する構成は、以下である。
【００２３】
図４では、回動本体２０と、該回動本体２０に取り付けられている操作ヘッド３０の一つと、該操作ヘッド３０の回動を制限するラチェット構造との分解図が示されている。
【００２４】
図示されているように、回動本体２０には、各操作ヘッド３０と対応する位置にそれぞれ開口２１が形成されており、各操作ヘッド３０はそれぞれ１つの開口２１に挿し込まれている。
【００２５】
各操作ヘッド３０にはそれぞれ専属のラチェット構造が付設されているが、それらの構成はほぼ同じになっているので、以下では図４〜図７を参照しながら１つの操作ヘッド３０の回動を制御する該当のラチェット構造のみ説明する。
【００２６】
各ラチェット構造は、何れも対応している操作ヘッド３０の開口２１内に挿し込まれている部分の周面３１から張り出している歯車面３１１と、歯車面３１１と開口２１の内周面２１２との間に、操作ヘッド３０の回動を制限する制限手段３２と、開口２１を覆い、且つ操作ヘッド３０と同軸的に回動することによって制限手段３２を制御することができるように取り付けられている制御キャップ２２とを備えている。
【００２７】
制限手段３２は、一対のラックユニット３２１、３２１と、一対のラックユニット３２１、３２１の間に、両端がそれぞれ一対のラックユニット３２１、３２１に当接しながら該一対のラックユニット３２１、３２１を離間させる付勢力を与えることができるように配置構成されている付勢ユニット３２２としての圧縮コイルばねとからなっている。
【００２８】
この一対のラックユニット３２１、３２１は、断面図である図５に示されているように、付勢ユニット３２２からの付勢力により付勢ユニット３２２に臨んでいない端部で開口２１の内周面２１２と当接していると共に、歯車面３１１と噛み合っている。
【００２９】
制御キャップ２２は、開口２１を覆っている平面部２２１と、平面部２２１の周縁から開口２１側へ突出するように形成されている環状のフェンス部２２２と、平面部２２１から開口２１内に挿し込むように形成されている２つの制御棒２２３Ａ、２２３Ｂとを有していると共に、操作ヘッド３０の回動と同軸的に回動することができるように回動本体２０に取り付けられている。
【００３０】
２つの制御棒２２３Ａ、２２３Ｂの形成位置については、図５〜図７に示されているように、制限手段３２における一対のラックユニット３２１、３２１に１つずつ対応して、該一対のラックユニット３２１、３２１のそれぞれ開口２１の内周面２１２と当接している端部側に配置されていると共に、図５に示されている状況から制御キャップ２２の回動に応じて、それぞれが対応している１つのラックユニット３２１に当接して図６または図７に示されているように、付勢ユニット３２２からの付勢力に抗して当接しているラックユニット３２１の位置を移動させて歯車面３１１との噛み合いを解除することができるように配置形成されている。
【００３１】
この構成により、制限手段３２は一対のラックユニット３２１、３２１が図５に示されている状態において、歯車面３１１と噛み合うと共に付勢ユニット３２２からの付勢力により開口２１の内周面２１２と当接することによって、操作ヘッド３０の両方向への回動を制限することができる。
【００３２】
また、制御キャップ２２が回されて例えば図６または図７に示されているように、１つのラックユニット３２１の歯車面３１１との噛み合いが解除され、他の１つのラックユニット３２１が歯車面３１１と噛み合いながら開口２１の内周面２１２と当接している状態になると、操作ヘッド３０の回動本体２０に対する一方向（図６に示されている状態では時計方向／図７に示されている状態では反時計方向）への回動のみを可能にすることができる。
【００３３】
更に、図９に示されているように、回動本体２０の各開口２１の周縁近くには、係止ボール２３１が、圧縮コイルばねにより付勢されて常に回動本体２０表面から突出するように取り付けられており、各制御キャップ２２のフェンス部２２２には、第１の係止孔２３２と第２の係止孔２３３と第３の係止孔２３４とが形成されている。
【００３４】
この第１の係止孔２３２と第２の係止孔２３３と第３の係止孔２３４とは、制御キャップ２２の回動角度に応じてそれぞれ係止ボール２３１を受け入れることができるように形成されていると共に、その配置位置については、制御キャップ２２の制限手段３２に対する制御状態に対応している。
【００３５】
つまり、図５に示されているように、制御キャップ２２が回動されて第１の係止孔内２３２に係止ボール２３１が嵌まる角度に回動すると、２つの制御棒２２３Ａ、２２３Ｂは何れも前記一対のラックユニット３２１を動かせず、該一対のラックユニット３２１、３２１は何れも歯車面３１１と噛み合って操作ヘッド３０の両方向への回動が全て制限されるようになる。
【００３６】
そして、図６に示されているように、制御キャップ２２が回動されて第２の係止孔２３３内に係止ボール２３１が嵌まる角度に回動すると、２つの制御棒２２３Ａ、２２３Ｂにおける１つ２２３Ａが対応しているラックユニット３２１に当接して該ラックユニット３２１の歯車面３１１との噛み合いを解除することによって、他の１つのラックユニット３２１のみが歯車面３１１と噛み合い、操作ヘッド３０の時計方向への回動のみが可能になるようになる。
【００３７】
更に、図７に示されているように、制御キャップ２２が回動されて第３の係止孔２３４内に係止ボール２３１が嵌まる角度に回動すると、２つの制御棒２２３Ａ、２２３Ｂにおける前記他の１つ２２３Ｂが対応しているラックユニット３２１に当接して該ラックユニット３２１の歯車面３１１との噛み合いを解除することによって、前記１つのラックユニット３２１のみが歯車面３１１と噛み合い、操作ヘッド３０の反時計方向への回動のみが可能になるようになる。
【００３８】
ちなみに、本考案において、回動本体２０の開口２１周縁近くにはガイド溝２１３が形成されており、そして制御キャップ２２には更に平面部２２１からガイド溝２１３に挿しこむことができるように形成されているガイドピン２２４が形成されており、図６及び図７に示されているように、制御キャップ２２が回動されて第２の係止孔内２３２に係止ボール２３１が嵌まる角度に回動すると、ガイドピン２２４はガイド溝２１３の一端部に当接して制御キャップ２２の更なる回動を阻止し、そして制御キャップ２２が回動されて第３の係止孔内２３２に係止ボール２３１が嵌まる角度に回動すると、ガイドピン２２４はガイド溝２１３の他端部に当接して制御キャップ２２の更なる回動を阻止することができる。
【００３９】
また、本考案のソケットレンチ用ラチェットハンドルは、取り付けられるソケットを取り外しやすい構成を更に備えている。
【００４０】
図８〜図１１に示されているように、各操作ヘッド３０は、対応している開口２１外に露出している周面３０２にボール状の当接突起３１３が取り付けられている上、それぞれの回動軸に沿って延伸する一本の貫通棒４２が摺動可能に挿通されている。
【００４１】
当接突起３１３が操作ヘッド３０の周面３０２から突出すると該操作ヘッド３０に取り付けられるソケットに当接または係止することで該ソケットを固定することができる。また、当接突起３１３が操作ヘッド３０の周面３０２へ没入するように移動すると、その当接または係止は解除されて該ソケットを取り外すことができる。
【００４２】
貫通棒４２は一端が操作ヘッド３０の先端に露出し、他端に当接ボール４２２が取り付けられていると共に、圧縮コイルばね４３により常に付勢されて当接ボール４２２を介して枢支軸４０の表面に当接している。
【００４３】
各操作ヘッド３０に取り付けられている各貫通棒４２には当接突起３１３を受け入れることができる凹孔４２１が形成されており、各凹孔４２１の形成位置は各当接突起３１３と互いに対応し、貫通棒４２が図１１に示されているように操作ヘッド３０の先端から突出している距離が長い第１の位置に摺動すると、凹孔４２１は貫通棒４２の摺動と共に当接突起３１３を受け入れることができる位置に移動することによって、当接突起３１３は操作ヘッド３０の表面内へ没入する方向へ移動し、そして、貫通棒４２が図９に示されているように、操作ヘッド３０の先端から突出している距離が比較的に短い第２の位置に摺動すると、凹孔４２１は貫通棒４２の摺動と共に当接突起３１３から離れる位置に移動することによって、当接突起３１３が操作ヘッド３０の表面外へ突出する方向へ移動するように配置構成されている。
【００４４】
また、各貫通棒４２の摺動は、枢支軸４０により制御される。図８、図１０に示されているように、枢支軸４０の回動本体２０内に挿入している部分には、小径部４１１と大径部４１２と、該小径部４１１と大径部４１２とを繋ぐ円錐面部４１３とが形成されており、枢支軸４０と各貫通棒４２は互いに対応し、各貫通棒４２の前記他端に取り付けられている当接ボール４２２が図８、図９に示されているように、小径部４１１の表面に当接している時は、各貫通棒４２は前記第２の位置に配置されるようになり、そして枢支軸４０のフランジ４１６が枢接アーム１１Ａ側に押されて回動本体２０に対して摺動し、各貫通棒４２の前記他端に取り付けられている当接ボールが図１０、図１１に示されるように大径部４１２の表面に当接すると、各貫通棒４２は大径部４１２により押し出されて第１の位置に配置されるようになる。
【００４５】
この構成により、使用者は枢支軸４０のフランジ４１６を枢接アーム１１Ａへ押す操作で当接突起３１３の位置を制御して該操作ヘッド３０に取り付けられるソケットへ対する当接または係止を解除することができると共に、該ソケットの構造によっては貫通棒４２が操作ヘッド３０の先端から突き出す動きもソケットの取り外しに役立たせることができる。
【産業上の利用可能性】
【００４６】
上記構成により、本考案はソケットと連結するための操作ヘッドを複数有し、ソケットの選択が拡大されるソケットレンチ用ラチェットハンドルを提供すると共に、各操作ヘッドが制限される回転操作方向を選択することができ、且つ簡単な操作で使用されるソケットを取り外すことができるソケットレンチ用ラチェットハンドルをも提供する。
【符号の説明】
【００４７】
１０  ハンドル
１１３  通過孔
１１４  係止突起
１１５  通過孔
１１Ａ  枢接アーム
１１Ｂ  枢接アーム
２０  回動本体
２１  開口
２１１  トンネル
２１２  内周面
２１４  係止凹部
２２  制御キャップ
２２１  平面部
２２２  フェンス部
２２３Ａ、２２３Ｂ  制御棒
２３１  係止ボール
２３２  第１の係止孔
２３３  第２の係止孔
２３４  第３の係止孔
３０  操作ヘッド
３０２  周面
３１  周面
３１１  歯車面
３１３  当接突起
３２  制限手段
３２１  ラックユニット
３２２  付勢ユニット
４０  枢支軸
４１１  小径部
４１２  大径部
４１３  円錐面部
４１４  当接子
４１６  フランジ
４２  貫通棒
４２１  凹孔
４３  圧縮コイルばね
４４  圧縮コイルばね
【図１】
0003168212.tif 000003
【図２】
0003168212.tif 000004
【図３】
0003168212.tif 000005
【図４】
0003168212.tif 000006
【図５】
0003168212.tif 000007
【図６】
0003168212.tif 000008
【図７】
0003168212.tif 000009
【図８】
0003168212.tif 000010
【図９】
0003168212.tif 000011
【図１０】
0003168212.tif 000012
【図１１】
0003168212.tif 000013